(57)【特許請求の範囲】
【請求項１】
複数の出力端子と複数の入力端子とを備え所定のパルス幅の検査信号を前記出力端子に出力すると共に前記入力端子に入力された前記検査信号を検知する制御部と、前記出力端子にそれぞれ接続される複数の出力線と、前記入力端子にそれぞれ接続される複数の入力線と、前記出力線と前記入力線との間に接続されるスイッチ導線および該スイッチ導線に配設され操作している間だけＯＮとなり操作をやめるとＯＦＦとなる操作スイッチと、で主体が構成され、任意の一の前記出力線と任意の一の前記入力線との間をそれぞれ前記スイッチ導線が接続可能な操作スイッチ配置可能箇所とし、前記操作スイッチ配置可能箇所のうち一つ以上の操作スイッチ配置可能箇所に、該操作スイッチ配置可能箇所を形成する前記出力線と前記入力線との間を常時導通させる導通手段を設け、前記制御部は、複数の前記出力線にそれぞれ相異なる時点で前記検査信号を出力し、前記検査信号が入力された前記入力線とこの時に前記検査信号が出力されていた前記出力線の組合せから、いずれの前記操作スイッチ配置可能箇所に配置された前記操作スイッチが操作されたかを検出する操作スイッチの操作検出用回路であって、任意の一の前記出力線を導通不良検出対象とする第１出力線とすると共に任意の一の前記入力線を導通不良検出対象とする第１入力線とし、前記第１出力線以外の任意の一の前記出力線を導通不良検出対象とする第２出力線とすると共に前記第１入力線以外の任意の一の前記入力線を導通不良検出対象とする第２入力線とし、前記第１出力線と前記第１入力線との間に形成される前記操作スイッチ配置可能箇所に前記導通手段として第１の導通不良検出用ダイオードを備えた第１の導通手段を設け、前記第２出力線と前記第２入力線との間に形成される前記操作スイッチ配置可能箇所に前記導通手段として第２の導通不良検出用ダイオードを備えた第２の導通手段を設け、前記検査信号が立ち上がりパルスにより構成される場合には、前記第１の導通不良検出用ダイオードおよび前記第２の導通不良検出用ダイオードはアノードが前記出力線側に接続されると共にカソードが前記入力線側に接続され、前記第１の導通手段の前記第１の導通不良検出用ダイオードのカソード側の部分と前記第２の導通手段の前記第２の導通不良検出用ダイオードのカソード側の部分とを導線で接続すると共に、該導線に操作スイッチを設けてこれを導通不良検出対象スイッチとし、前記検査信号が立ち下がりパルスにより構成される場合には、前記第１の導通不良検出用ダイオードおよび前記第２の導通不良検出用ダイオードはカソードが前記出力線側に接続されると共にアノードが前記入力線側に接続され、前記第１の導通手段の前記第１の導通不良検出用ダイオードのアノード側の部分と前記第２の導通手段の前記第２の導通不良検出用ダイオードのアノード側の部分とを導線で接続すると共に、該導線に操作スイッチを設けてこれを導通不良検出対象スイッチとすることを特徴とする操作スイッチの操作検出用回路。
【請求項２】
請求項１記載の操作スイッチの操作検出用回路を備えた加熱調理器であって、加熱部と、前記加熱部による加熱の開始および停止を制御する制御部と、前記加熱部による加熱の開始指令および加熱の停止指令を、前記制御部に対して入力するための操作部と、前記操作部と前記制御部とを接続し途中にコネクタが介在して該コネクタにより中継される信号線と、を備え、前記操作部は前記操作スイッチを備え、前記出力線および前記入力線は前記信号線に含まれ、少なくとも前記加熱の停止指令の入力を、前記導通不良検出対象スイッチの操作により行うことを特徴とする加熱調理器。
【請求項３】
複数の出力端子と複数の入力端子とを備え所定のパルス幅の検査信号を前記出力端子に出力すると共に前記入力端子に入力された前記検査信号を検知する制御部と、前記出力端子にそれぞれ接続される複数の出力線と、前記入力端子にそれぞれ接続される複数の入力線と、前記出力線と前記入力線との間に接続されるスイッチ導線および該スイッチ導線に配設され操作している間だけＯＮとなり操作をやめるとＯＦＦとなる操作スイッチと、で主体が構成され、任意の一の前記出力線と任意の一の前記入力線との間をそれぞれ前記スイッチ導線が接続可能な操作スイッチ配置可能箇所とし、前記操作スイッチ配置可能箇所のうち一つ以上の操作スイッチ配置可能箇所に、該操作スイッチ配置可能箇所を形成する前記出力線と前記入力線との間を常時導通させる導通手段を設け、前記制御部は、複数の前記出力線にそれぞれ相異なる時点で前記検査信号を出力し、前記検査信号が入力された前記入力線とこの時に前記検査信号が出力されていた前記出力線の組合せから、いずれの前記操作スイッチ配置可能箇所に配置された前記操作スイッチが操作されたかを検出する操作スイッチの操作検出用回路として、特定の前記操作スイッチを導通不良検出対象スイッチとし、前記導通不良検出対象スイッチが配置される前記操作スイッチ配置可能箇所を形成する前記出力線と前記入力線とをそれぞれ特定出力線と特定入力線とし、前記特定出力線と前記特定入力線以外の前記入力線との間に形成される前記操作スイッチ配置可能箇所に前記導通手段として第１特定導通手段を設け、前記特定出力線以外の前記出力線と前記特定入力線との間に形成される前記操作スイッチ配置可能箇所に前記導通手段として第２特定導通手段を設ける操作スイッチの操作検出用回路を備えた加熱調理器であって、加熱部と、前記加熱部による加熱の開始および停止を制御する制御部と、前記加熱部による加熱の開始指令および加熱の停止指令を、前記制御部に対して入力するための操作部と、前記操作部と前記制御部とを接続し途中にコネクタが介在して該コネクタにより中継される信号線と、を備え、前記操作部は前記操作スイッチを備え、前記出力線および前記入力線は前記信号線に含まれ、少なくとも前記加熱の停止指令の入力を、前記導通不良検出対象スイッチの操作により行うことを特徴とする加熱調理器。
【発明の詳細な説明】
【技術分野】
【０００１】
本発明は、操作スイッチの操作検出用回路およびそれを備えた加熱調理器に関するものである。
【背景技術】
【０００２】
操作部における複数の操作スイッチが操作されたことを検出する回路を、操作スイッチに接続された個別の入力線を介して各々の操作スイッチへの操作を検出する所謂スタティック回路で構成すると（例えば特許文献１参照）、信号線の本数は操作スイッチの数だけ必要になるところ、所謂ダイナミック回路で構成すると、信号線の本数を操作スイッチの数よりも低減することができるため、このダイナミック回路を用いた機器が知られている。ダイナミック回路が適用された機器としては例えば、制御部への給電のＯＮ／ＯＦＦを行う電源入切手段として、電源スイッチを押し操作（以下「電源入操作」という）している間だけスイッチがＯＮとなり、押し操作をやめるとスイッチがＯＦＦとなるタクトスイッチを用いた加熱調理器が知られている。
【０００３】
この加熱調理器にあっては、加熱部を使用中に点火／消火スイッチを押し操作することで制御部に加熱の停止指令が入力されることになる。また、本体に備える制御部とは別に、点火／消火のための操作部や加熱調理器における加熱部の点火／消火、並びに、火力調整等の操作を行う操作スイッチ類を備える操作部を設け、制御部からの信号線と操作部からの信号線とをコネクタで接続する場合、制御部からの信号線と操作部からの信号線とを接続するコネクタとしては、接触の信頼性が高いものが使用されることになるものの、万が一、コネクタで接続されるべき信号線同士の接触がコネクタにおいて不全な状態、つまり、導通不良となった場合には、加熱部を使用中に点火／消火スイッチを押し操作しても加熱部における加熱を停止できないことになるという不都合が生じる。
【０００４】
特に、点火／消火スイッチとして、押し操作している間だけ点火／消火スイッチがＯＮとなり、押し操作をやめると点火／消火スイッチがＯＦＦとなるタクトスイッチを用いた場合には、加熱部の使用中において、点火／消火スイッチはＯＦＦとなるため、コネクタにおいて導通不良が生じてもこの導通不良は制御部によって検出できないということになる。
【先行技術文献】
【特許文献】
【０００５】
【特許文献１】特開２０１０−１４４９４１号公報
【発明の概要】
【発明が解決しようとする課題】
【０００６】
本発明は上記従来の問題点に鑑みて発明したものであって、その目的とするところは、所謂ダイナミック回路で構成され、コネクタの使用等により導通不良の惧れがある場合にこの導通不良を検知することができる操作スイッチの操作検出用回路を提供し、また前記操作スイッチの操作検出用回路を備え、点火／消火指令を制御部へ入力するための点火／消火スイッチとして、押し操作している間だけ点火／消火スイッチがＯＮとなり押し操作をやめると点火／消火スイッチがＯＦＦとなるタクトスイッチを用い、制御部からの信号線と操作部からの信号線とをコネクタで接続する場合等において、コネクタにおける導通不良を検出した時に加熱を停止する安全な加熱調理器を提供することを課題とするものである。
【課題を解決するための手段】
【０００７】
上記課題を解決するために、本発明の請求項１に係る操作スイッチの操作検出用回路は、複数の出力端子と複数の入力端子とを備え所定のパルス幅の検査信号を前記出力端子に出力すると共に前記入力端子に入力された前記検査信号を検知する制御部と、前記出力端子にそれぞれ接続される複数の出力線と、前記入力端子にそれぞれ接続される複数の入力線と、前記出力線と前記入力線との間に接続されるスイッチ導線および該スイッチ導線に配設され操作している間だけＯＮとなり操作をやめるとＯＦＦとなる操作スイッチと、で主体が構成され、任意の一の前記出力線と任意の一の前記入力線との間をそれぞれ前記スイッチ導線が接続可能な操作スイッチ配置可能箇所とし、前記操作スイッチ配置可能箇所のうち一つ以上の操作スイッチ配置可能箇所に、該操作スイッチ配置可能箇所を形成する前記出力線と前記入力線との間を常時導通させる導通手段を設け、前記制御部は、複数の前記出力線にそれぞれ相異なる時点で前記検査信号を出力し、前記検査信号が入力された前記入力線とこの時に前記検査信号が出力されていた前記出力線の組合せから、いずれの前記操作スイッチ配置可能箇所に配置された前記操作スイッチが操作されたかを検出する操作スイッチの操作検出用回路であって、任意の一の前記出力線を導通不良検出対象とする第１出力線とすると共に任意の一の前記入力線を導通不良検出対象とする第１入力線とし、前記第１出力線以外の任意の一の前記出力線を導通不良検出対象とする第２出力線とすると共に前記第１入力線以外の任意の一の前記入力線を導通不良検出対象とする第２入力線とし、前記第１出力線と前記第１入力線との間に形成される前記操作スイッチ配置可能箇所に前記導通手段として第１の導通不良検出用ダイオードを備えた第１の導通手段を設け、前記第２出力線と前記第２入力線との間に形成される前記操作スイッチ配置可能箇所に前記導通手段として第２の導通不良検出用ダイオードを備えた第２の導通手段を設け、前記検査信号が立ち上がりパルスにより構成される場合には、前記第１の導通不良検出用ダイオードおよび前記第２の導通不良検出用ダイオードはアノードが前記出力線側に接続されると共にカソードが前記入力線側に接続され、前記第１の導通手段の前記第１の導通不良検出用ダイオードのカソード側の部分と前記第２の導通手段の前記第２の導通不良検出用ダイオードのカソード側の部分とを導線で接続すると共に、該導線に操作スイッチを設けてこれを導通不良検出対象スイッチとし、前記検査信号が立ち下がりパルスにより構成される場合には、前記第１の導通不良検出用ダイオードおよび前記第２の導通不良検出用ダイオードはカソードが前記出力線側に接続されると共にアノードが前記入力線側に接続され、前記第１の導通手段の前記第１の導通不良検出用ダイオードのアノード側の部分と前記第２の導通手段の前記第２の導通不良検出用ダイオードのアノード側の部分とを導線で接続すると共に、該導線に操作スイッチを設けてこれを導通不良検出対象スイッチとすることを特徴とする。
【０００８】
このような構成とすることで、導通手段が設けられた操作スイッチ配置可能箇所を形成する出力線または入力線に導通不良があった場合、この導通不良が検出できる。特に、コネクタを用いて出力線と入力線とを中継接続する場合、導通不良が生じやすいコネクタの接続部における導通不良が検出でき、導通不良に応じた措置を講じることができる。さらに、第１出力線またはその接続部において導通不良が生じる、若しくは、第１入力線またはその接続部において導通不良が生じる、または、第２出力線またはその接続部において導通不良が生じる、若しくは、第２入力線またはその接続部において導通不良が生じる、という事態に至った場合であっても、導通不良検出対象スイッチの操作を検出することが可能である。そのため、導通不良が生じた時に対応措置を講じる場合に、その対応措置を講じる緊急性が緩和される。
【０００９】
また、請求項２に係る発明は、請求項１記載の操作スイッチの操作検出用回路を備えた加熱調理器であって、加熱部と、前記加熱部による加熱の開始および停止を制御する制御部と、前記加熱部による加熱の開始指令および加熱の停止指令を、前記制御部に対して入力するための操作部と、前記操作部と前記制御部とを接続し途中にコネクタが介在して該コネクタにより中継される信号線と、を備え、前記操作部は前記操作スイッチを備え、前記出力線および前記入力線は前記信号線に含まれ、少なくとも前記加熱の停止指令の入力を、前記導通不良検出対象スイッチの操作により行うことを特徴とする。
【００１０】
このような構成とすることで、コネクタによる接続不良などに起因して、加熱を停止する操作に関与する出力線および入力線の導通不良が生じた場合も、導通不良を検出することができる。また、導通不良を検出したときには加熱部による加熱を停止するなどの措置を講じることもできるから、安全な加熱調理器とすることができる。
【００１１】
また、請求項３に係る発明は、複数の出力端子と複数の入力端子とを備え所定のパルス幅の検査信号を前記出力端子に出力すると共に前記入力端子に入力された前記検査信号を検知する制御部と、前記出力端子にそれぞれ接続される複数の出力線と、前記入力端子にそれぞれ接続される複数の入力線と、前記出力線と前記入力線との間に接続されるスイッチ導線および該スイッチ導線に配設され操作している間だけＯＮとなり操作をやめるとＯＦＦとなる操作スイッチと、で主体が構成され、任意の一の前記出力線と任意の一の前記入力線との間をそれぞれ前記スイッチ導線が接続可能な操作スイッチ配置可能箇所とし、前記操作スイッチ配置可能箇所のうち一つ以上の操作スイッチ配置可能箇所に、該操作スイッチ配置可能箇所を形成する前記出力線と前記入力線との間を常時導通させる導通手段を設け、前記制御部は、複数の前記出力線にそれぞれ相異なる時点で前記検査信号を出力し、前記検査信号が入力された前記入力線とこの時に前記検査信号が出力されていた前記出力線の組合せから、いずれの前記操作スイッチ配置可能箇所に配置された前記操作スイッチが操作されたかを検出する操作スイッチの操作検出用回路として、特定の前記操作スイッチを導通不良検出対象スイッチとし、前記導通不良検出対象スイッチが配置される前記操作スイッチ配置可能箇所を形成する前記出力線と前記入力線とをそれぞれ特定出力線と特定入力線とし、前記特定出力線と前記特定入力線以外の前記入力線との間に形成される前記操作スイッチ配置可能箇所に前記導通手段として第１特定導通手段を設け、前記特定出力線以外の前記出力線と前記特定入力線との間に形成される前記操作スイッチ配置可能箇所に前記導通手段として第２特定導通手段を設ける操作スイッチの操作検出用回路を備えた加熱調理器であって、加熱部と、前記加熱部による加熱の開始および停止を制御する制御部と、前記加熱部による加熱の開始指令および加熱の停止指令を、前記制御部に対して入力するための操作部と、前記操作部と前記制御部とを接続し途中にコネクタが介在して該コネクタにより中継される信号線と、を備え、前記操作部は前記操作スイッチを備え、前記出力線および前記入力線は前記信号線に含まれ、少なくとも前記加熱の停止指令の入力を、前記導通不良検出対象スイッチの操作により行うことを特徴とする。
【００１２】
このような構成とすることで、操作の検出に関する優先度が高い操作スイッチの操作の検出に関与する出力線および入力線の導通不良を検出することができ、かつ、操作スイッチ配置可能箇所のうち第１特定導通手段と第２特定導通手段が配置される箇所に導通手段が配置されるだけであるから、全ての出力線と全ての入力線の導通不良が検出できるように構成する場合と比べて、操作スイッチ配置可能箇所により多くの操作スイッチが配置できる。そして、コネクタによる接続不良などに起因して、加熱を停止する操作に関与する出力線および入力線の導通不良が生じた場合も、導通不良を検出することができる。また、導通不良を検出したときには加熱部による加熱を停止するなどの措置を講じることもできるから、安全な加熱調理器とすることができる。
【発明の効果】
【００１５】
本発明にあっては、所謂ダイナミック回路で構成された操作スイッチの操作検出用回路における導通不良を検知することができ、また加熱調理器においては導通不良を検出した時は加熱を停止するなどの措置を講じることが可能となり、安全性を確保することができる。
【図面の簡単な説明】
【００１６】
【図１】本発明の操作スイッチの操作検出用回路を備えた加熱調理器が組み込まれたキッチンカウンターを示し、加熱調理器の操作部が引き出された状態の斜視図である。
【図２】本発明の操作スイッチの操作検出用回路を備えた加熱調理器が組み込まれたキッチンカウンターを示し、加熱調理器の操作部が収納された状態の斜視図である。
【図３】本発明の操作スイッチの操作検出用回路を備えた加熱調理器の斜視図である。
【図４】ダイナミック回路の基本例の構成図である。
【図５】同上のダイナミック回路における動作のフロー図である。
【図６】出力端子へのパルスの出力の例のタイムチャートである。
【図７】第１実施例の操作検出用回路の構成図である。
【図８】同上における動作のフロー図である。
【図９】第２実施例の操作検出用回路の構成図である。
【図１０】第３実施例の操作検出用回路の構成図である。
【図１１】第４実施例の操作検出用回路の構成図である。
【図１２】第５実施例の操作検出用回路の構成図である。
【発明を実施するための形態】
【００１７】
以下、本発明を添付図面に示す実施形態に基いて説明する。
【００１８】
操作スイッチの操作検出用回路を備えた加熱調理器２は、本実施形態においては図１に示すように、ガスコンロであり、加熱部４として三つのコンロバーナが横方向に並設される本体部と、天板３と、操作部６と、を主要部として構成されている。
【００１９】
本体部は、キッチンカウンター１のカウンタートップ１１の開口に吊持されて、カウンタートップ１１に組み付けられている。なお、本実施形態の加熱調理器２は、所謂ビルトインタイプであるが、ビルトインタイプでないものであっても勿論よい。
【００２０】
天板３は、カウンタートップ１１に組み付けられた本体部を覆い且つ周縁部をカウンタートップ１１の上面に当接させる状態に装着され、また、天板３の上部には、三つのコンロバーナそれぞれに対して五徳５が装備されている。
【００２１】
本体部は、カウンタートップ１１の前縁よりも後方側に大きく引退した位置に装着され、天板３は、本体部の装着箇所を覆う状態で装着されており、カウンタートップ１１における天板３よりも前側部分が、調理用作業面１２を構成する。
【００２２】
操作部６は、横長の帯板状に形成されて、その上面部に、三つのコンロバーナの点火及び消火、並びに、火力調整等の操作を行う操作スイッチを備えている。
【００２３】
そして、上述の如く調理用作業面１２を構成するために、本体部や天板３がカウンタートップ１１の前縁よりも後方側に引退した位置に装着されるのに対して、操作部６は、キッチンカウンター１の前縁側部分に装着されている。
【００２４】
具体的には、操作部６が、カウンタートップ１１の下方側に収納される収納位置（図２参照）とカウンタートップ１１の前方側に突出する突出位置（図１参照）とに位置変更自在に支持されて、突出位置に位置された状態において、三つのコンロバーナの点火及び消火、並びに、火力調整等の操作を行えるようになっている（図３参照）。
【００２５】
尚、図示はしないが、収納位置に位置する操作部６を後方側に少し押し込み操作することにより、操作部６を突出位置に自動的に位置変更操作し、突出位置に位置する操作部６を収納位置に押し込み操作することにより、収納位置に自動的に保持する操作部保持機構が設けられている。
【００２６】
また、図１〜３に示すように、キッチンカウンター１の前面における操作部６の横側箇所には、電源スイッチ７が装備されており、操作部６を収納位置に収納してコンロバーナを燃焼させている状態において、コンロバーナを消火するときに、この電源スイッチ７を押し操作することにより、コンロバーナを消火させることができるようになっている。ちなみに、コンロバーナを燃焼させている状態において電源スイッチ７が押し操作されると、三つのコンロバーナのうちの点火しているものが全て消火されることになる。
【００２７】
制御部は本体部に設けられ、三つのコンロバーナの点火及び消火、並びに、火力調整等の操作を行う操作スイッチが操作されたことを操作検出用回路で検出するのであるが、操作検出用回路においては後述する所謂ダイナミック回路を用いた構成としている。
【００２８】
操作スイッチは上記操作部６に設けられるもので、この操作スイッチとしては、操作している間だけスイッチがＯＮとなり、操作をやめるとスイッチがＯＦＦとなるモーメンタリ動作型スイッチであるタクトスイッチが用いられている。
【００２９】
操作検出用回路におけるダイナミック回路とは、回路の制御部に接続される複数の出力線と複数の入力線との間にそれぞれ操作スイッチを電気的に接続し、いずれかの操作スイッチを操作した時に、回路の制御部がいずれの出力線に出力した検査信号がいずれの入力線から入力されたかを検出し、その出力線と入力線の組合せから、いずれの操作スイッチが操作されたかを検出するもので、まず、図４に基づいて、本発明には該当しないが基本となるダイナミック回路の例を示す。なお、回路の制御部は、マイクロコンピュータからなるもので、本実施形態のように加熱調理器の制御部がその機能を兼ね備えていてもよく、別に設けてもよいもので、以下単に制御部という。
【００３０】
制御部は、複数の出力端子と複数の入力端子とを備えたもので、図４に示す例では、３つの出力端子（ＣＯＭ出力１〜ＣＯＭ出力３）と２つの入力端子（ＳＷ入力１、ＳＷ入力２）を備えているが、出力端子と入力端子の数は前記に限定されない。そして、所定のパルス幅の検査信号を前記出力端子に出力すると共に、前記入力端子に入力された前記検査信号を検知するものである。
【００３１】
出力端子にはそれぞれ出力線（ｏ１〜ｏ３）が接続されると共に、入力端子にはそれぞれ入力線（ｉ１〜ｉ３）が接続され、制御部が備える出力端子と入力端子全てに出力線と入力線とがそれぞれ接続される必要はないが、出力線と入力線は複数接続される。
【００３２】
そして、任意の一の出力線と任意の一の入力線との間をそれぞれ、スイッチ導線及び上記操作スイッチが接続可能な操作スイッチ配置可能箇所とする。すなわち、操作スイッチ配置可能箇所は、出力線と入力線の組合せの数だけ存在する。全ての操作スイッチ配置可能箇所にスイッチ導線および操作スイッチが接続される必要はないが、図４に示す例では全ての操作スイッチ配置可能箇所にスイッチ導線および操作スイッチ（Ｓｕ〜Ｓｚ）が接続されている。
【００３３】
制御部は、複数の出力線にそれぞれ相異なる時点で検査信号を出力し、検査信号が入力された入力線と、この時に検査信号を出力していた出力線の組合せから、いずれの操作スイッチ配置可能箇所に配置された操作スイッチが操作されたかを検出する。
【００３４】
図５のフロー図に示すように、まず、ＣＯＭ出力１のみに検査信号としてハイレベル信号（Ｈｉｇｈ）を出力すると共にＣＯＭ出力２、ＣＯＭ出力３はローレベル（Ｌｏｗ）のままにした時に、ＳＷ入力１にハイレベルが入力されると操作スイッチＳｕがＯＮと判断し、ＳＷ入力２にハイレベルが入力されると操作スイッチＳｖがＯＮと判断する。次に、ＣＯＭ出力２のみに検査信号としてハイレベル信号（Ｈｉｇｈ）を出力すると共にＣＯＭ出力１、ＣＯＭ出力３はローレベル（Ｌｏｗ）のままにした時に、ＳＷ入力１にハイレベルが入力されると操作スイッチＳｘがＯＮと判断し、ＳＷ入力２にハイレベルが入力されると操作スイッチＳｗがＯＮと判断する。次に、ＣＯＭ出力３のみに検査信号としてハイレベル信号（Ｈｉｇｈ）を出力すると共にＣＯＭ出力１、ＣＯＭ出力２はローレベル（Ｌｏｗ）のままにした時に、ＳＷ入力１にハイレベルが入力されると操作スイッチＳｙがＯＮと判断し、ＳＷ入力２にハイレベルが入力されると操作スイッチＳｚがＯＮと判断する。そして、このサイクルを繰り返すものである。図６に各出力端子へのハイレベル信号のパルスの出力の２サイクル分の例を示す。
【００３５】
このようなダイナミック回路を用いる利点は、操作部６における複数の操作スイッチが操作されたことを検出する回路を構成する場合に、制御部と操作部６を接続する信号線の本数が低減できるということである。すなわち、各々の操作スイッチに接続された個別の入力線を介して各々の操作スイッチへの操作を検出する所謂スタティック回路で構成した場合は、各々の操作スイッチに対応した個別の信号線の本数が操作スイッチの数だけ必要になるが、上記ダイナミック回路を用いると、上記出力線の数をｍ本（図４に示す例では３本）とし、上記入力線の数をｎ本（図４に示す例では２本）としたとき、ｍ×ｎ個（図４に示す例では６個）の操作スイッチの操作を検出できると共に、制御部と操作部６を接続する信号線（すなわち入力線と出力線の合計）の本数はｍ＋ｎ本（図４に示す例では５本）ですむことになる。これに対しスタティック回路では、ｍ×ｎ個（図４に示す例では６個）の操作スイッチの操作を検出するために必要な制御部と操作部６を接続する信号線の本数は、操作スイッチの個数と同じｍ×ｎ本（図４に示す例では６本）となる。要するに、ｍ×ｎ個の操作スイッチの操作を検出する場合、ｍ×ｎ＞ｍ＋ｎの時には、スタティック回路により操作スイッチ操作検出回路を構成する場合に比べて、ダイナミック回路により操作スイッチ操作検出回路を構成した場合のほうが制御部と操作部６を接続する信号線を少なくなるように構成できる。
【００３６】
なお、図４に示す例における、操作スイッチＳｕ〜Ｓｚをそれぞれ有するスイッチ導線に設けられたＤｕ〜Ｄｚの６個のダイオードは、複数の操作スイッチが同時に操作されたときに、操作スイッチを介して電流が回りこみ、操作スイッチの操作を誤検出してしまうことを防止するための同時押し時逆流防止ダイオードである。
【００３７】
上述した入力線、出力線のような信号線は、途中で分断されてその両端部にそれぞれ設けられたコネクタにより結線されることが多い。図４に示す例においては、出力線の途中にコネクタ１が介在すると共に、入力線の途中にコネクタ２が介在している。この場合、コネクタ１における接続点ａ〜ｃ、コネクタ２における接続点ｄ、ｅにおいて接触不良などに起因する導通不良が生じた場合には、導通不良が生じた出力線または入力線に接続されている操作スイッチの操作が検出できないという不都合が生じる。
【００３８】
そこで、本発明の操作スイッチの操作検出用回路においては、操作スイッチ配置可能箇所のうち一つ以上の操作スイッチ配置可能箇所に、該操作スイッチ配置可能箇所を形成する出力線と入力線との間を常時導通させる導通手段を設けて導通不良検出手段を構成するもので、以下の各実施例について説明する。
〔第１実施例〕
図４に示す例のように導通不良検出手段を備えない場合は、出力線ｍ×入力線ｎ＝ｍ×ｎ本（図示例では３×２＝６本）の信号線に対して６個の操作スイッチ配置可能箇所があるが、図７に示す当該実施例においては下記の様に、６個の操作スイッチ配置可能箇所のうちの２個の操作スイッチ配置可能箇所には操作スイッチを割り当てず、コネクタにおける導通不良の検出用に割り当ててある。
【００３９】
操作部６には、操作スイッチとして、加熱部４の点火／消火指令を制御部へ入力するための点消火スイッチＳＴ（出力線ｏ１と入力線ｉ２の間の操作スイッチ配置可能箇所）、火力を増加する側の調整操作を行うＵＰスイッチＳ１（出力線ｏ３と入力線ｉ１の間の操作スイッチ配置可能箇所）、火力を減少する側の調整操作を行うＤＯＷＮスイッチＳ２（出力線ｏ３と入力線ｉ２の間の操作スイッチ配置可能箇所）、操作部６におけるタイマー設定部（詳述しない）などの設定を取り消す取り消しスイッチＳＣ（出力線ｏ２と入力線ｉ１の間の操作スイッチ配置可能箇所）、の４個のスイッチを備え、点消火スイッチＳＴを導通不良検出対象スイッチとする。
【００４０】
そして、導通不良検出対象スイッチが配置される操作スイッチ配置可能箇所を形成する出力線と入力線とをそれぞれ特定出力線（本実施例では出力線ｏ１）と特定入力線（本実施例では入力線ｉ２）とし、特定出力線と特定入力線以外の入力線（本実施例では入力線ｉ１）との間に形成される操作スイッチ配置可能箇所に導線からなる第１特定導通手段Ａ１を設け、特定出力線以外の出力線（本実施例では出力線ｏ２）と特定入力線との間に形成される操作スイッチ配置可能箇所に導線からなる第２特定導通手段Ａ２を設けている。また、第１特定導通手段Ａ１には出力線ｏ１から入力線ｉ１へのみ電流が流れるダイオードＤ１が、また、第２特定導通手段Ａ２には出力線ｏ２から入力線ｉ２へのみ電流が流れるダイオードＤ３が、挿入されている。すなわち、出力線ｏ１と入力線ｉ１とは第１特定導通手段Ａ１にて短絡されて常時導通状態に維持され、また、出力線ｏ２と入力線ｉ２とは第２特定導通手段Ａ２にて短絡されて常時導通状態に維持されるように構成されている。
【００４１】
次に、動作について説明する。図８に示すように、ＣＯＭ出力１のみに検査信号としてハイレベル信号（Ｈｉｇｈ）を出力すると共にＣＯＭ出力２、ＣＯＭ出力３はローレベル（Ｌｏｗ）のままにした時に、ＳＷ入力１にハイレベルが入力されるとＣＯＭ出力１からＳＷ入力１に至る信号線（すなわち出力線ｏ１、入力線ｉ１）の経路中に導通不良が無いと判断し、ＳＷ入力１にハイレベルが入力されていないと、コネクタ１の接続点ａかコネクタ２の接続点ｄで導通不良が生じていると判断し、ＳＷ入力２にハイレベルが入力されると操作スイッチＳＴがＯＮと判断する。次に、ＣＯＭ出力２のみに検査信号としてハイレベル信号（Ｈｉｇｈ）を出力すると共にＣＯＭ出力１、ＣＯＭ出力３はローレベル（Ｌｏｗ）のままにした時に、ＳＷ入力１にハイレベルが入力されると操作スイッチＳＣがＯＮと判断し、ＳＷ入力２にハイレベルが入力されるとＣＯＭ出力２からＳＷ入力２に至る信号線（すなわち出力線ｏ２、入力線ｉ２）の経路中に導通不良が無いと判断し、ＳＷ入力２にハイレベルが入力されていないと、コネクタ１の接続点ｂかコネクタ２の接続点ｅで導通不良が生じていると判断する。次に、ＣＯＭ出力３のみに検査信号としてハイレベル信号（Ｈｉｇｈ）を出力すると共にＣＯＭ出力１、ＣＯＭ出力２はローレベル（Ｌｏｗ）のままにした時に、ＳＷ入力１にハイレベルが入力されると操作スイッチＳ１がＯＮと判断し、ＳＷ入力２にハイレベルが入力されると操作スイッチＳ２がＯＮと判断する。
【００４２】
そして、導通不良が無いと判断した場合には、その時点まで実行していた加熱調理器の制御の実行を継続する。
【００４３】
しかし、点消火スイッチＳＴの操作の検出に関係する信号線を接続するコネクタの接続部ａ、ｅには導通不良があるものと判断した場合には、コンロバーナ（加熱部４）による加熱が実行されているときには、当該点消火スイッチＳＴにより点火及び消火操作されるコンロバーナにおける燃焼を停止し、当該点消火スイッチＳＴにより点火及び消火操作されるコンロバーナ用の表示部にエラーコードを点滅表示する故障報知を行う。
【００４４】
このようにすることによって、コネクタ１またはコネクタ２において、点消火スイッチＳＴの操作の検出に支障を来たす箇所、特にコネクタ１の接続点ａやコネクタ２の接続点ｅに導通不良が発生した場合にも、燃焼中のコンロバーナの消火操作を行ったにもかかわらずコンロバーナが消火できない、という不都合が発生することがない、安全な状態が維持されることになる。
〔第２実施例〕
第１実施例では、コネクタ１またはコネクタ２において、点消火スイッチＳＴの操作の検出に支障を来たす導通不良の発生を検出するように構成しているが、制御部と操作部６を接続する全ての信号線（出力線と入力線）についての導通不良を検出するように構成することも可能である。この場合、出力線をｍ本、入力線をｎ本とした時、操作スイッチ配置可能箇所のうち、導通手段が設けられず実際に操作スイッチに割り当て可能な箇所の数は以下の通りとなる。
（i）ｍ＞ｎの場合（図９参照）、ｍ本（図９に示す例では３本）の出力線の全てについて導通不良を検出するためには、各出力線にそれぞれ接続される導通手段が必要となるため、少なくともｍ本の導通手段が必要となる。ｎ本（図９に示す例では２本）の入力線の全てについて導通不良を検出するためには、各入力線にそれぞれ接続される導通手段が必要となるため、少なくともｎ本の導通手段が必要となる。ここで、導通手段は、１本の導通手段の一端を１本の出力線に接続すると共に他端を１本の入力線に接続することで、前記１本の出力線の導通不良の検出と前記１本の入力線の導通不良の検出の両方を行うことができる。このため、入力線（図９に示す例ではｉ１、ｉ２）に接続されるｎ本の導通手段（図９に示す例ではＡ３、Ａ４）の他端をそれぞれ異なるｎ本の出力線（図９に示す例ではｏ１、ｏ２）に接続し、残りのｍ−ｎ本の出力線（図９に示す例ではｏ３）に接続される導通手段（図９に示す例ではＡ５）の他端をいずれかの入力線（図９に示す例ではｉ２）に接続すればよく、結局導通手段はｍ本必要となる。従って、操作スイッチ配置可能箇所ｍ×ｎのうち、導通手段が設けられず実際に操作スイッチに割り当て可能な箇所の数は、ｍ×ｎ−ｍとなる。
（ii）ｍ＜ｎの場合、図示しないが同様に、ｍ本の出力線について少なくともｍ本の導通手段が必要となると共に、ｎ本の入力線についてｎ本の導通手段が必要となり、出力線に接続されるｍ本の導通手段の他端をそれぞれ異なるｍ本の入力線に接続し、残りのｎ−ｍ本の入力線に接続される導通手段の他端をいずれかの出力線に接続すればよく、結局導通手段はｎ本必要となる。従って、操作スイッチ配置可能箇所ｍ×ｎのうち、導通手段が設けられず実際に操作スイッチに割り当て可能な箇所の数は、ｍ×ｎ−ｎとなる。
（iii）ｍ＝ｎの場合、図示しないが同様に、ｍ本の出力線について少なくともｍ本の導通手段が必要となると共に、ｎ本の入力線についてｎ本の導通手段が必要となり、出力線に接続されるｍ本の導通手段の他端をそれぞれ異なるｎ（＝ｍ）本の入力線に接続すればよく、結局導通手段はｍ（＝ｎ）本必要となる。従って、操作スイッチ配置可能箇所ｍ×ｎのうち、導通手段が設けられず実際に操作スイッチに割り当て可能な箇所の数は、ｍ×ｎ−ｍとなる。
【００４５】
この第２実施例では、接続点ａまたは接続点ｄに導通不良が生じている時には、ＣＯＭ出力１にハイレベル信号を出力した時にＳＷ入力１にハイレベルが入力されず、また、接続点ｂまたは接続点ｅに導通不良が生じている時には、ＣＯＭ出力２にハイレベル信号を出力した時にＳＷ入力２にハイレベルが入力されず、また、接続点ｃまたは接続点ｅに導通不良が生じている時には、ＣＯＭ出力３にハイレベル信号を出力した時にＳＷ入力２にハイレベルが入力されないから、接続点ａ〜接続点ｅのうちのいずれか一箇所の接続点において導通不良が生じた場合であっても、制御部と操作部６とを接続するコネクタに導通不良が生じたことが検出可能であるから、操作部６における全ての操作スイッチの操作の検出に支障を来たす、コネクタにおける導通不良の発生を検出可能である。
〔第３実施例〕
ｍ×ｎ個の操作スイッチの操作を検出するときに、従来のスタティック回路によりスイッチ操作検出回路を構成する場合に比べて、ダイナミック回路によりスイッチ操作検出回路を構成した場合のほうが制御部と操作部６を接続する信号線を少なくなるように構成できるのは、ｍ×ｎ＞ｍ＋ｎの時であるから、ダイナミック回路によりスイッチ操作検出回路を構成することになる場合は、ｎおよびｍが２以上の場合である（但しｎ＝ｍ＝２の場合を除く）。このように出力線および入力線の何れも２本以上の場合であることに着目し、図１０に示すように構成する。
【００４６】
第１実施例、第２実施例においては、操作スイッチ配置可能箇所のうちの所定の箇所に導通手段が設けられて、常時導通状態に維持されるものであった。
【００４７】
これに対し、この第３実施例では、任意の一の出力線（図１０の出力線ｏ１）を導通不良検出対象とする第１出力線とすると共に、任意の一の入力線（図１０の入力線ｉ１）を導通不良検出対象とする第１入力線とする。第１出力線以外の任意の一の出力線（図１０の出力線ｏ２）を導通不良検出対象とする第２出力線とすると共に、第１入力線以外の任意の一の前記入力線（図１０の入力線ｉ２）を導通不良検出対象とする第２入力線とする。第１出力線と第１入力線との間に形成される操作スイッチ配置可能箇所に、第１の導通不良検出用ダイオードＤ１０を備えた第１の導通手段Ａ６を設け、前記第２出力線と前記第２入力線との間に形成される前記操作スイッチ配置可能箇所に前記導通手段として第２の導通不良検出用ダイオードＤ１２を備えた前記第２の導通手段Ａ７を設ける。第１の導通手段Ａ６を設けることで第１出力線と第１入力線とが常時導通状態に維持され、第２の導通手段Ａ７を設けることで第２出力線と第２入力線とが常時導通状態に維持される。
【００４８】
さらに、第１の導通不良検出用ダイオードＤ１０における第１出力線との接続端子（この実施例ではアノード）と反対側の端子（この実施例ではカソード）と、第２の導通不良検出用ダイオードＤ１２における第２出力線との接続端子（この実施例ではアノード）と反対側の端子（この実施例ではカソード）との間に、点消火スイッチＳＴを備えた導線を配置挿入してある。
【００４９】
第１の導通手段Ａ６および第２の導通手段Ａ７において、導通不良検出用ダイオードＤ１０、Ｄ１２を途中に設けて単に短絡しない理由は、点消火スイッチＳＴが操作されたときに、出力線ｏ１と出力線ｏ２の間に電流が流れることを阻止するためである。
【００５０】
また、導通不良検出用ダイオードＤ１０、Ｄ１２を備えた導線の前記導通不良検出用ダイオードＤ１０、Ｄ１２が接続された箇所よりも入力線側には、ダイオードＤ１１、Ｄ１３が設けられている。ダイオードＤ１１、Ｄ１３は、複数の操作スイッチが同時に操作された時に、操作スイッチを介して電流が回りこみ操作スイッチの操作を誤検出してしまうことを防止するための同時押し時逆流防止ダイオードである。
【００５１】
この第３実施例での動作について説明する。
（ａ）コネクタ１における接続点ａに導通不良がある場合には、ＣＯＭ出力１のハイレベル出力時にＳＷ入力１にハイレベルが入力されないから、導通不良が検出可能である。ただし、ＣＯＭ出力１のハイレベル出力時におけるＳＷ入力２の入力により点消火スイッチＳＴの操作を検出することはできないが、ＣＯＭ出力２のハイレベル出力時におけるＳＷ入力１の入力により点消火スイッチＳＴの操作を検出することが可能であるから、導通不良が検出されたからといって、直ちにコンロバーナ（加熱部４）における燃焼を停止する、ということは行わない。
【００５２】
因みに、複数の出力線に順次送出される検査信号のパルス幅は、例えば数ミリ秒（実施例では５ｍＳ）とすることで、導通不良が検出された時にコンロバーナ（加熱部４）における燃焼を直ちに停止する、ということを行わないことによる、点消火スイッチＳＴの操作検出遅延に起因する操作感に関する実質的な影響はない。
（ｂ）また、コネクタ１における接続点ｂに導通不良がある場合には、ＣＯＭ出力２のハイレベル出力時にＳＷ入力２にハイレベルが入力されないから、導通不良が検出可能である。ただし、ＣＯＭ出力２のハイレベル出力時におけるＳＷ入力１の入力により点消火スイッチＳＴの操作を検出することはできないが、ＣＯＭ出力１のハイレベル出力時におけるＳＷ入力２の入力により点消火スイッチＳＴの操作を検出することが可能であるから、導通不良が検出されたからといって、直ちにコンロバーナ（加熱部４）における燃焼を停止する、ということは行わない。
（ｃ）また、コネクタ２における接続点ｄまたは接続点ｅのうち１箇所に導通不良がある場合も同様に、導通不良が検出可能であるものの、点消火スイッチＳＴの操作を検出することが可能であるから、導通不良が検出されたからといって、直ちにコンロバーナ（加熱部４）における燃焼を停止する、ということは行わない。
【００５３】
すなわち、この第３実施例では、第１出力線を接続するコネクタ１における接続点ａに導通不良が発生する、若しくは、第１入力線を接続するコネクタ２における接続点ｄに導通不良が発生する、または、第２出力線を接続するコネクタ１における接続点ｂに導通不良が発生する、若しくは、第２入力線を接続するコネクタ２における接続点ｅに導通不良が発生する、という事態に至った場合でも、点消火スイッチＳＴの操作を検出することが可能であるから、導通不良が検出されたからといって、コンロバーナ（加熱部４）における燃焼を直ちに停止する、ということを行わないようにしても、点消火スイッチＳＴの操作することでコンロバーナ（加熱部４）における燃焼が停止できるから安全上の問題はない。
【００５４】
ただし、第１出力線を接続するコネクタ１における接続点ａに導通不良が発生する、若しくは、第１入力線を接続するコネクタ２における接続点ｄに導通不良が発生し、かつ、第２出力線を接続するコネクタ１における接続点ｂに導通不良が発生する、若しくは、第２入力線を接続するコネクタ２における接続点ｅに導通不良が発生したときには、点消火スイッチＳＴの操作を検出することができなくなるから、ＣＯＭ出力１のハイレベル出力時にＳＷ入力１にハイレベルが入力されないで、かつ、ＣＯＭ出力２のハイレベル出力時にＳＷ入力２にハイレベルが入力されない時には、点消火スイッチＳＴの操作の検出が不能であるものと判断し、コンロバーナ（加熱部４）による加熱が実行されているときには、当該点消火スイッチＳＴにより点火及び消火操作されるコンロバーナ（加熱部４）における燃焼を停止し、当該点消火スイッチＳＴにより点火及び消火操作されるコンロバーナ（加熱部４）用の表示部にエラーコードを点滅表示する故障報知を行う。
【００５５】
以上のように、この第３実施例では、点消火スイッチＳＴの操作の検出に関係する信号線を接続するコネクタの接続点の内の１箇所に導通不良がある時であっても点消火スイッチＳＴの操作が検出できるものである。
【００５６】
ただし、図７と図１０とを比較すると明らかなように、第１実施例では、点消火スイッチＳＴの操作検出と点消火スイッチＳＴの操作検出に関するコネクタにおける信号線の導通不良検出のために、スイッチ３個分の割り当てにより構成可能であるのに対し、この第３実施例では、点消火スイッチＳＴの操作検出と点消火スイッチＳＴの操作検出に関するコネクタにおける信号線の導通不良検出のために、スイッチ４個分を割り当てて構成する必要であるから、配置できるスイッチを一つ少なくすることになることとなる。このため、第３実施例では、第１実施例においては具備していた取り消しスイッチＳＣを具備していない。図１０中の取り消しスイッチＳＣおよび導線部分の破線は具備していないことを示す。
〔第４実施例〕
図１１に示す本実施例は第３実施例の変形例であり、第３実施例において操作部６に一つの点消火スイッチＳＴしか備えず第３実施例の操作スイッチ、を備えない場合は、ＣＯＭ出力３に接続される出力線が不要となる。従って、一つの点消火スイッチＳＴしか備えない場合には本実施例のように構成することで、第３実施例よりも出力線および出力端子が少なくてすみ、合理的である。
〔第５実施例〕
本実施例は第４実施例の変形例であり、第４実施例において同時押し時逆流防止ダイオードＤ１１、Ｄ１３を設けずこの部分を単に短絡させたもので、図１２に示す。
【００５７】
第４実施例における導通不良検出用ダイオードＤ１０、Ｄ１２は、出力線ｏ１と出力線ｏ２の間に電流が流れることを阻止するため本実施例でも配置されているものの、同時押し時逆流防止ダイオードＤ１１、Ｄ１３は、複数の操作スイッチが同時に操作された時に、操作スイッチを介して電流が回りこみ操作スイッチの操作を誤検出してしまうことを防止するための同時押し時逆流防止ダイオードであるものである。従って、操作部６に一つの点消火スイッチＳＴを備えるだけの本実施例では、複数の操作スイッチが同時に操作されることはないため、同時押し時逆流防止ダイオードＤ１１、Ｄ１３は不要となり、本実施例の方が第４実施例よりも合理的である。
【００５８】
なお、上述した第１実施例〜第５実施例においては、出力線接続用にコネクタ１を設けると共に、入力線接続用にコネクタ２を設け、出力線と入力線とで別々のコネクタを用いているが、出力線および入力線全体で一つのコネクタを用いてもよく、また、三つ以上のコネクタを設けてもよく、特に限定されない。
【００５９】
また、上述した第１実施例〜第５実施例においては、出力線にハイレベル信号を出力した時に入力線にハイレベルが入力されることによって、スイッチ操作、または、導通不良の有無を検出するように構成しているが、出力線にローレベル信号を出力した時に入力線にローレベルが入力されることによって、スイッチ操作、または、導通不良の有無を検出するように構成しても良い。この場合、同時押し時逆流防止ダイオードと導通不良検出用ダイオードは、アノードとカソードが第１実施例〜第５実施例とは逆方向に実装されることになる。
【００６０】
また、導通不良検出可能なスイッチ回路の例として上述した第１実施例〜第５実施例を示したが、導通不良検出可能なスイッチ回路はこれらに限定されないものである。
【００６１】
また、本実施形態においては、導通不良検出可能なスイッチ回路をガスコンロに適用しているが、ガスコンロでない他の加熱調理器（例えば所謂ＩＨ調理器や電子レンジ）や、加熱調理器以外の機器に適用してもよいものである。
【符号の説明】
【００６２】
１    キッチンカウンター
１１  カウンタートップ
１１ａ  前縁
１２  調理用作業面
２    加熱調理器
３    天板
４    加熱部
５    五徳
６    操作部
７    電源スイッチ
Ａ１〜７    導通手段
ＣＯＭ出力１〜３  出力端子
ＳＷ入力１、２  入力端子
ｏ１〜３  出力線
ｉ１、２  入力線
【図１】
0005639450.tif 000002
【図２】
0005639450.tif 000003
【図３】
0005639450.tif 000004
【図４】
0005639450.tif 000005
【図５】
0005639450.tif 000006
【図６】
0005639450.tif 000007
【図７】
0005639450.tif 000008
【図８】
0005639450.tif 000009
【図９】
0005639450.tif 000010
【図１０】
0005639450.tif 000011
【図１１】
0005639450.tif 000012
【図１２】
0005639450.tif 000013